(57)【要約】      （修正有）【課題】取出口からポリ袋を確実に一枚ずつ、簡単に取り出すことができ、さらに、包装体の上側面に必ず取出口が位置するようにして、包装袋の向きを気にして収納する手間を省くことができる包装袋を提供する。【解決手段】所定形状に折り畳んだポリ袋１２の一群を積層して構成されたポリ袋集合体１１を袋体２の内部に収容する。袋体２に形成したミシン目に沿って袋体２を切り取ることにより、ポリ袋１２を取り出すための取出口１８が形成される。略直方体形状の袋体２の上下面４・５と、前後面６・７とが交わる部分に形成される稜線部１６に、隣接する二つの面４・５・６・７に跨るミシン目を形成する。袋体２に形成される四つの稜線部１６のうち、少なくとも対向する二つ稜線部１６に、枠状のミシン目を形成する。【選択図】図１
0003180391.tif 000002
【実用新案登録請求の範囲】
【請求項１】
樹脂製シートからなる袋体（２）の内部にポリ袋集合体（１１）が収容されており、
ポリ袋集合体（１１）は、所定形状に折り畳んだポリ袋（１２）の一群を積層して構成されており、
袋体（２）に形成されたミシン目（１７）に沿って袋体（２）を切り取ることによりポリ袋（１２）を取り出すための取出口（１８）が形成されるポリ袋集合体の包装袋であって、
袋体（２）は、ポリ袋集合体（１１）を収容した状態において、上下面（４・５）、および前後面（６・７）を有する略直方体形状に形成されており、
袋体（２）の上下面（４・５）と、前後面（６・７）とが交わる部分にそれぞれ稜線部（１６）が形成されており、
稜線部（１６）には、隣接する二つの面（４・５・６・７）に跨るミシン目（１７）が形成されており、
袋体（２）に形成される四つの稜線部（１６）のうち、少なくとも対向する二つの稜線部（１６）に、枠状のミシン目（１７）が形成されているポリ袋集合体の包装袋。
【請求項２】
袋体（２）に形成される四つの稜線部（１６）の全部に、枠状のミシン目（１７）が形成されている請求項１に記載のポリ袋集合体の包装袋。
【請求項３】
稜線部（１６）の長手方向の中央部分に、ミシン目（１７）が形成されており、
稜線部（１６）の左右寸法を１００とした場合に、ミシン目（１７）の左右寸法が４０から７０の範囲に設定されている請求項１または２に記載のポリ袋集合体の包装袋。
【考案の詳細な説明】
【技術分野】
【０００１】
本考案は、ポリ袋集合体を収容するための包装袋に関する。ポリ袋集合体は、所定形状に折り畳んだポリエチレンなどの樹脂製袋（以下、単にポリ袋という。）の一群を積層したものである。
【背景技術】
【０００２】
本考案に関して、袋体の内部にポリ袋集合体を収容した状態で提供することは、例えば特許文献１および２に公知である。特許文献１のポリ袋用パッケージでは、略ボックス状のポリエチレンシートからなる包装体内にポリ袋集合体が収容されている。包装体の上面部および任意の側面部には開口部が形成されており、各開口部から包装体内に収容されたポリ袋を１枚ずつ取り出せるようになっている。開口部は、包装体に設けた破線に沿ってポリエチレンシートを破断することで形成することができ、上面部には２箇所の開口部を形成することができる。特許文献２では、上記特許文献１の構成に加え、ポリ袋集合体の下側に包装体の形状を維持する板材を配置し、さらに小面積側および大面積側の側面部の両方に開口部を形成して、各開口部から包装体内に収容されたポリ袋が取り出せるようになっている。
【先行技術文献】
【特許文献】
【０００３】
【特許文献１】登録実用新案第３１０２１９７号公報（段落番号００１８、００２０図１）
【特許文献２】登録実用新案第３１７０６５５号公報（段落番号００１４〜００１６図１）
【考案の概要】
【考案が解決しようとする課題】
【０００４】
例えばごみ袋に代表されるポリ袋は、比較的大きな袋であるが、特許文献１および２のポリ袋用パッケージのように、収容枚数が多い場合であっても一枚ずつ小さく折り畳んだ状態でパッケージ内に収容することで、コンパクトな状態で提供することができる。これにより、ポリ袋が多用される台所の調理台上にパッケージを置いた場合でも見栄えがよく、また、邪魔にならずに置くことができる。さらに、引き出しの中にパッケージを収納した場合には、大きな収納スペースを取ることなく収納することができる。
【０００５】
ポリ袋用パッケージは、上面部が上方に位置し、折り畳んだポリ袋の袋表面が水平になる横置きや、大面積側の側面部が上方に位置し、折り畳んだポリ袋の袋表面が垂直になる縦置きに置くことができる。調理台上に置く場合には、収容枚数が少なくなっても、安定して置くことができる横置きに、引き出し内に収納する場合には、他の収納物の隙間に入れるため、収容枚数が少なくなると収納スペースが小さくて済む縦置きに置かれることが多い。特許文献１および２のポリ袋用パッケージでは、包装体の上面部および側面部に開口部が形成されているので、横置き、または縦置きのどちらの場合であっても、パッケージの上面側に開口部を位置させることができ、パッケージからポリ袋を取り出すことができる。横置きにした場合には、２箇所の開口部を上面側に位置させることができ、どちらの開口部からでもポリ袋を取り出すことができるので使い勝手がよい。
【０００６】
しかし、特許文献１および２のポリ袋用パッケージでは、折り畳まれたポリ袋を一枚ずつ分離して取り出すことが難しい。具体的には、上面側の開口部からポリ袋を取り出す場合には、この開口部に折り畳まれたポリ袋の平坦な袋表面が臨んでいるので、指先で袋表面を摘まんでポリ袋を取り出すが、指先が乾燥しているとポリ袋を摘みにくく、また、強く押えた状態で摘むと、二枚以上のポリ袋を摘んでしまうこともあり、簡単にポリ袋を確実に一枚ずつ取り出すことができない。
【０００７】
側面部の開口部からポリ袋を取り出す場合には、この開口部に折り畳まれたポリ袋の縁部分が臨んでいるので、指先で折り畳まれたポリ袋の縁部分を摘んでポリ袋を取り出すことができる。しかし、積層されたポリ袋を指先で一枚ずつに分離するのは困難であり、特に収容枚数の多い使用開始時は、ポリ袋同士の隙間がほとんどないので、一枚ずつ分離して取り出すことは困難である。また、分離できたとしても積層されたポリ袋の間に指先を差し込んでポリ袋を摘み取り出さなければならず、取り出す際に他のポリ袋を爪で破損するおそれもある。
【０００８】
上記に加えて、特許文献１および２のポリ袋用パッケージでは、開口部を形成できない面があるので、引き出し内に収納する場合にはパッケージの向きを気にして収納する必要がある。詳しくは、開口部が引き出しの内壁面や他の収納物で塞がれることがないよう、開口部がパッケージの上側面に位置するように、パッケージの向きを確認した上で引き出し内に収納しなければならず煩わしい。
【０００９】
本考案の目的は、取出口からポリ袋を確実に一枚ずつ、簡単に取り出すことができる包装袋を提供することにある。
本考案の目的は、包装体の上側面に必ず取出口が位置するようにして、包装袋の向きを気にして収納する手間を省くことができる包装袋を提供することにある。
【課題を解決するための手段】
【００１０】
本考案は、樹脂製シートからなる袋体２の内部にポリ袋集合体１１が収容されており、ポリ袋集合体１１は、所定形状に折り畳んだポリ袋１２の一群を積層して構成されており、袋体２に形成されたミシン目１７に沿って袋体２を切り取ることにより、ポリ袋１２を取り出すための取出口１８が形成してあるポリ袋集合体の包装袋を対象とする。袋体２は、ポリ袋集合体１１を収容した状態において、上下面４・５、および前後面６・７を有する略直方体形状に形成されている。袋体２の上下面４・５と、前後面６・７とが交わる部分にそれぞれ稜線部１６が形成されている。稜線部１６には、隣接する二つの面４・５・６・７に跨るミシン目１７が形成されている。そして、袋体２に形成される四つの稜線部１６のうち、少なくとも対向する二つ稜線部１６に、枠状のミシン目１７が形成されている。
【００１１】
袋体２に形成される四つの稜線部１６の全部に、稜線部１６を跨ぐように枠状のミシン目１７が形成されている形態を採ることができる。
【００１２】
稜線部１６の長手方向の中央部分に、ミシン目１７を形成する。稜線部１６の左右寸法を１００とした場合に、ミシン目１７の左右寸法が４０から７０の範囲に設定することが好ましい。より好ましくは、ミシン目１７の左右寸法が５０から６０の範囲に設定する。
【考案の効果】
【００１３】
本考案に係るポリ袋集合体の包装袋においては、袋体２の上下面４・５と前後面６・７とが交わる部分にそれぞれ形成される稜線部１６に、稜線部１６を囲む枠状のミシン目１７を形成した。このミシン目１７に沿って袋体２を切り取ることにより、取出口１８を隣接する二つの面に跨るように形成するようにした。これによれば、ポリ袋集合体１１から１枚のポリ袋１２を分離して、ポリ袋１２を確実に一枚ずつ取り出すことができる。詳しくは、図１に示すように、隣接する二つの面に跨るように取出口１８を形成すると、折り畳まれたポリ袋１２の面部１３と縁部１４とを取出口１８に臨ませることができる。これにより、取出口１８の上側から人差指を面部１３に押し付け、取出口１８の前側に向かって指先をスライドさせることにより、ポリ袋集合体１１から１枚のポリ袋１２を分離することができる。この状態で親指と人差指でポリ袋１２を摘んで引き出すと、包装袋１からポリ袋１２を確実に一枚ずつ、簡単に取り出すことができる。
【００１４】
加えて、袋体２に形成される四つの稜線部１６のうち、少なくとも対向する二つの稜線部１６に、枠状のミシン目１７を形成すると、上下面４・５および前後面８・９のいずれの面を下にして包装袋１を横置き、または縦置きにした場合であっても、必ず取出口１８を上側面に位置させることができる。したがって、包装袋１を調理台上や引き出し内に収納するときに、包装袋１の向きを気にして置く手間を省くことができ、包装袋１を引き出し内に収納した場合には、取出口１８が引き出しの内壁面や他の収納物で塞がれることがない。
【００１５】
ミシン目１７を、袋体２に形成される四つの稜線部１６の全部に形成すると、上下面４・５および前後面６・７のいずれの面を下にして包装袋１を横置き、または縦置きにした場合であっても、必ず二つの取出口１８を上側面に位置させることができる。したがって、調理台上に包装袋１を置く場合には、包装袋１の前後どちらからでもポリ袋１２を取り出すことができるので、使い勝手のよい包装袋１とすることができる。さらに、収容するポリ袋１２の量が減ってきた場合には、下側面に位置する取出口１８からもポリ袋１２を一枚ずつ、簡単に取り出すことができる。
【００１６】
ミシン目１７を稜線部１６の長手方向の中央部分に形成し、稜線部１６の左右寸法を１００とした場合に、ミシン目１７の左右寸法を４０から７０の範囲に設定した。これは、ミシン目１７の左右寸法が４０より小さいと、ポリ袋１２を取り出すときの引き出し抵抗が大きすぎ、ポリ袋１２を簡単に取り出すことができないからである。また、ミシン目１７の左右寸法が７０より大きいと、ポリ袋１２を取り出すときの引き出し抵抗が小さすぎ、１枚に分離したポリ袋１２を引き出す際に、隣接するポリ袋１２が静電気や湿気により密着し、共に包装袋外に引き出されてしまうからである。
【図面の簡単な説明】
【００１７】
【図１】本考案に係るポリ袋集合体の包装袋の縦断側面図である。
【図２】ポリ袋集合体の包装袋の斜視図である。
【図３】ポリ袋集合体の包装袋の平面図である。
【図４】袋体の展開図である。
【考案を実施するための形態】
【００１８】
図１から図４に、本考案に係るポリ袋集合体の包装袋の実施例を示す。本考案における前後、左右、上下とは、図中に示す交差矢印と、各矢印の近傍に表記した前後、左右、上下の表示に従う。図１において、ポリ袋集合体の包装袋（以下、単に包装袋という。）１は、ポリエチレンシートからなる袋体２を有し、袋体２の内部にポリ袋集合体１１が収容されている。袋体２は、ポリ袋集合体１１の一群を収容した状態において、上下面４・５、および前後面６・７有する略直方体形状に形成されており、袋体２の左右両端部には、ガゼット部８・９が形成されている。包装袋１は、内部にポリ袋集合体１１を包むようにポリエチレンシートの前縁と後縁をヒートシールして左右に長い角筒状とし、さらに、角筒状の左右両端部をガゼット状にヒートシールすることにより形成される。袋体２の上下寸法は６０ｍｍ、左右寸法は２００ｍｍ、前後寸法は８０ｍｍである。
【００１９】
図１および図３に示すように、ポリ袋集合体１１は、所定形状に折り畳んだポリ袋１２の一群を積層して構成されている。ポリ袋１２は、厚みが０．０１５ｍｍのポリエチレン製の袋であり、幅寸法が５５０ｍｍ、高さ寸法が７００ｍｍである。これを高さ方向に２回、幅方向に４回折り畳むことにより、８０ｍｍ×２００ｍｍの長方形状に折り畳んである。ポリ袋集合体１１は、折り畳んだポリ袋１２を５０枚積層して構成されている。
【００２０】
図１および図２に示すように、袋体２の上下面４・５と前後面６・７とが交わる部分に四つの稜線部１６が形成されている。それぞれの稜線部１６には、稜線部１６を囲むように枠状のミシン目１７が形成されている。具体的には、図４に示すように、稜線部１６の左右方向中央部に、隣接する二つの面４・５・６・７に跨るミシン目１７が左右横長に形成してある。
【００２１】
ミシン目１７の左右寸法は、稜線部１６の左右寸法を１００とした場合に、４０から７０の範囲に設定する。これは、ミシン目１７の左右寸法が４０より小さいと、ポリ袋１２を取り出すときの引き出し抵抗が大きすぎ、ポリ袋１２を簡単に取り出すことができないからである。また、ミシン目１７の左右寸法が７０より大きいと、ポリ袋１２を取り出すときの引き出し抵抗が小さすぎ、１枚に分離したポリ袋１２を引き出す際に、接触している他のポリ袋１２が静電気や湿気により密着し、共に包装袋外に引き出されてしまうからである。ミシン目１７の左右寸法は、左右寸法が５０から６０の範囲に設定することが好ましく、本実施例では、ミシン目１７の左右寸法を１１０ｍｍとし、稜線部１６の左右寸法を１００とした場合に、５５となるように設定した。ミシン目１７の短手方向の寸法は４０ｍｍに形成されている。
【００２２】
図１および図３に示すように、ポリ袋１２を取り出すための取出口１８は、ミシン目１７に沿って袋体２を切り取ることにより形成できる。ミシン目１７は隣接する面に跨るように形成されているので、ミシン目１７に沿って袋体２を切り取ると、二つの面に跨って取出口１８が形成される。取出口１８には、内部に収容されたポリ袋集合体１１の面部１３と縁部１４とが臨んでいる。ポリ袋１２を取り出す際には、まず、面部１３が臨む上面４側の取出口１８から人差指を面部１３に押し付ける。この状態から、前面６方向に向かって指先をスライドさせると、最上部にある折り畳まれたポリ袋１２の一部が取出口１８から引き出される（図１参照）。次に、取出口１８から引き出された部分を、人差指と親指とで摘んで引き出すことにより、包装袋１からポリ袋１２を確実に一枚ずつ、簡単に取り出すことができる。
【００２３】
取出口１８は、四つの稜線部１６にそれぞれ形成することができるので、上下面４・５および前後面６・７のいずれの面を下にして包装袋１を横置き、または縦置きにした場合であっても、必ず二つの取出口１８を上側面に位置させることができる。したがって、調理台上に包装袋１を横置きに置いた場合には、前後の取出口１８のどちらからでもポリ袋を取り出すことができるので、使い勝手のよい包装袋１とすることができる。さらに、ポリ袋集合体１１の量が減ってきた場合には、下側面の前後の稜線部１６に位置する取出口１８からもポリ袋１２を一枚ずつ、簡単に取り出すことができる。また、必ず取出口１８を上側面に位置させることができるので、包装袋１を引き出し内に収納するときに、包装袋１の向きを気にして置く手間を省くことができる。
【００２４】
上記の実施例では、すべての稜線部１６にミシン目１７を形成したが、ミシン目１７は少なくとも対向する二つの稜線部１６に形成すればよく、これにより、包装袋１が横置きまたは縦置きのいずれの場合であっても、包装袋１の上側面に取出口１８を位置させることができる。ポリ袋集合体１１は、小型のポリ袋１２であれば、折り畳まずに積層してあってもよい。ガゼット部８・９と上下面４・５とが交わる部分にもミシン目１７を設け、取出口１８を形成できるようにしてもよい。
【符号の説明】
【００２５】
１  包装袋
２  袋体
４  上面
５  下面
６  前面
７  後面
１１  ポリ袋集合体
１２  ポリ袋
１６  稜線部
１７  ミシン目
１８  取出口
【図１】
0003180391.tif 000003
【図２】
0003180391.tif 000004
【図３】
0003180391.tif 000005
【図４】
0003180391.tif 000006